(57)【要約】  【課題】  長時間装着しても疲れにくい防護用エプロンを提供する。  【解決手段】  両側位置に環状支持具７を備えるとともに胸部域に対応する位置に袋部５を備えた、身体の前側を覆う前掛け部１と、前掛け部１の上部域に取り付けられた環状帯部２と、その環状帯部２に接続された後引き紐部３とを有したエプロンであり、身体にエプロンを装着したときに、環状帯部２内に首を入れて後引き紐部３によって引っ張った状態として環状帯部２を肩及び背中に移動させ、後引き紐部３の接続紐部１５を前掛け部１の環状支持具７と係合させることにより、その引っ張った状態を保持するように構成した。【選択図】  図２
2005113346.tif 000002
【特許請求の範囲】
【請求項１】
両側位置に接続部を備えるとともに胸部域に対応する位置に袋部を備えた、身体の前側を覆う前掛け部と、前掛け部の上部域に取り付けられた環状帯部と、その環状帯部に接続された後引き紐部とを有したエプロンであり、前記袋部は防護部を入れる袋部であり、前記後引き紐部はその先端側に前掛け部の接続部と係合する一対の接続紐部を有しており、身体にエプロンを装着したときに、環状帯部内に首を入れて後引き紐部によって引っ張った状態として環状帯部を肩及び背中に移動させ、接続紐部を前掛け部の接続部と係合させることにより、その引っ張った状態を保持するように構成したことを特徴とする、防護用エプロン。
【請求項２】
請求項１に記載の防護用エプロンにおいて、前記防護部が冷却機能を発揮する部材も含む、防護用エプロン。
【請求項３】
請求項１ないし請求項２のいずれか一項に記載の防護用エプロンにおいて、後引き紐部が一対の帯紐で構成され、各帯紐を前掛け部の接続部に係合させるように構成した、防護用エプロン。
【請求項４】
請求項１ないし請求項３のいずれか一項に記載の防護用エプロンにおいて、装着者の背中を覆う背当て部を設け、後引き紐部によって背当て部を支持する構成とした、防護用エプロン。
【請求項５】
請求項４に記載の防護用エプロンにおいて、前記背当て部が後引き紐部と着脱自在になっている、防護用エプロン。
【請求項６】
請求項４ないし請求項５のいずれか一項に記載の防護用エプロンにおいて、前記背当て部に防護部を入れる袋部を設けた、防護用エプロン。
【請求項７】
請求項４ないし請求項６のいずれか一項に記載の防護用エプロンにおいて、上部が狭く下部が広い形状となった背当て部を有し、後引き紐部が背当て部内を上下動自在に移動できる状態で背当て部を後引き紐部によって支持した、防護用エプロン。
【請求項８】
請求項１ないし請求項７のいずれか一項に記載の防護用エプロンにおいて、前記防護部が袋部から適宜、取り出せるように構成してある、防護用エプロン。
【請求項９】
請求項１ないし請求項８のいずれか一項に記載の防護用エプロンにおいて、少なくともエプロンの外側面を蒸発した水分を通過できる織物又は不織布で構成し、エプロン内の所定箇所に高吸水性繊維層を設けて、その高吸水性繊維層に水分を含ませ、気化熱による保冷作用によってエプロンを装着したときの体感温度を下げるように構成した、防護用エプロン。
【発明の詳細な説明】
【技術分野】
【０００１】
本発明はエプロンに関し、特に弾丸又は刃物から身体を守る防護用エプロンに関する。
【背景技術】
【０００２】
近年、日本においても治安が悪化しており、２４時間営業を行うコンビニエンスストアなどに深夜、拳銃や刃物を持って押し入る強盗事件が多発している。コンビニエンスストアなどでは経費を下げるために深夜においても店員が一人しかいない場合が多く、その防犯対策が急務となっている。現在、行われている対策としては防犯ブザー、監視カメラの設置などが主なものであるが、万一、凶悪犯による強盗事件が発生したときには、店員の身体、命を守ることが最低限必要になる。この場合、軍隊・警察官が使用する各種の防弾服又は防刃服が販売されているので、犯罪発生の危険性が高い場所にあるコンビニエンスストアや販売店、金融機関などの従業員にそのような防護服を着用させることも考えられる。
そのような防護服としては下記特許文献１に開示されたものがある。
【０００３】
【特許文献１】特開２００２−２０１５６６『防護構成材料、防護衣料、及び防護物品』
【発明の開示】
【発明が解決しようとする課題】
【０００４】
しかしながら、上記方法であれば下記のような課題がある。
（Ａ）身長、体格の異なる従業員に合わせて、複数の防護服を用意することは経費が高くなるうえに装着に時間がかかり、お客さんがいる目の前で着脱を行いにくいという問題がある。また、店の従業員が防護服を着ていると分かると、客に無用の不安感を与え、営業上マイナスになる。
（Ｂ）着脱の容易さを考慮して、首掛けエプロンに各種の防護材を入れて防弾機能又は防刃機能を持たせることも考えられる。しかし、このような単純な構成では、エプロンの首掛け紐に大きな荷重がかかって首が疲れ、長時間装着することが難しい。
（Ｃ）防護材を備えた重いエプロンを装着すると体温の拡散が防護材によって妨げられた状態になり、温度の高いところで作業する場合などでは汗をかきやすく疲労度が増すという問題がある。
【０００５】
本発明は上記課題に鑑みてなされたものであり、本発明の目的は、上記課題を解決できる、防護用エプロンを提供することにある。
具体的な目的の一例を示すと、以下の通りである。
（ａ）防護材を備えたエプロンを付けても首筋に大きな荷重がかかることなく、長時間装着しても疲れにくい防護用エプロンを提供する。
（ｂ）暑い日など温度の高いところで作業を行うときでも、人が感じる体感的な暑さを低減できる冷却機能を備えた防護用エプロンを提供する。
（ｃ）通常のエプロンに比べて重量の大きい防護用エプロンを装着した場合でも装着者の疲労を低減できる防護用エプロンを提供する。
なお、上記に記載した以外の発明の課題及びその解決手段は、後述する明細書内の記載において詳しく説明する。
【課題を解決するための手段】
【０００６】
本発明は多面的に表現できるが、例えば、代表的なものを挙げると、次のように構成したものである。
第１発明は、両側位置に接続部を備えるとともに胸部域に対応する位置に袋部を備えた、身体の前側を覆う前掛け部と、前掛け部の上部域に取り付けられた環状帯部と、その環状帯部に接続された後引き紐部とを有したエプロンであり、前記袋部は防護部を入れる袋部であり、前記後引き紐部はその先端側に前掛け部の接続部と係合する一対の接続紐部を有しており、身体にエプロンを装着したときに、環状帯部内に首を入れて後引き紐部によって引っ張った状態として環状帯部を肩及び背中に移動させ、接続紐部を前掛け部の接続部と係合させることにより、その引っ張った状態を保持するように構成したことを特徴とする、防護用エプロン。
第２発明は、第１発明において、前記防護部が冷却機能を発揮する部材も含むことを特徴とする。
【０００７】
第３発明は、第１発明ないし第２発明のいずれか一つに記載の発明において、後引き紐部が一対の帯紐で構成され、各帯紐を前掛け部の接続部に係合させるように構成したことを特徴とする。
第４発明は、第１発明ないし第３発明のいずれか一つに記載の発明において、装着者の背中を覆う背当て部を設け、後引き紐部によって背当て部を支持する構成としたことを特徴とする。
【０００８】
第５発明は、第４発明に記載の発明において、前記背当て部が後引き紐部と着脱自在になっていることを特徴とする。
第６発明は、第４発明ないし第５発明のいずれか一つに記載の発明において、前記背当て部に防護部を入れる袋部を設けたことを特徴とする。
第７発明は、第４発明ないし第６発明のいずれか一つに記載の発明において、上部が狭く下部が広い形状となった背当て部を有し、後引き紐部が背当て部内を上下動自在に移動できる状態で背当て部を後引き紐部によって支持したことを特徴とする。
【０００９】
第８発明は、第１発明ないし第７発明のいずれか一つに記載の発明において、前記防護部が袋部から適宜、取り出せるように構成してあることを特徴とする。
第９発明は、第１発明ないし第８発明のいずれか一つに記載の発明において、少なくともエプロンの外側面を蒸発した水分を通過できる織物又は不織布で構成し、エプロン内の所定箇所に高吸水性繊維層を設けて、その高吸水性繊維層に水分を含ませ、気化熱による保冷作用によってエプロンを装着したときの体感温度を下げるように構成したことを特徴とする。
【００１０】
以下、上記第１発明〜第９発明の各構成について説明する。
第１発明に記載した防護部としては、例えば、特開２００２−２０１５６６号「防護構成材料、防護衣料、及び防護物品」で開示された材料で構成するのが好ましい。この防護構成材料は、代表的なものを挙げると、防護材を複数枚重ねて構成した防護構成材料であって、前記防護材は、合成樹脂製のシート状物又は繊維材料からなる布帛状物の少なくとも片側面に粒子の大きさが１０μｍ〜１７００μｍの範囲の硬質無機物粒子を固着させることによって構成されており、前記複数枚の防護材の内、一の防護材に固着された硬質無機物粒子の大きさと、他の防護材に固着された硬質無機物粒子の大きさが異なっているものがあることを特徴とする防護構成材料である。
この他にもチタン合金板、アラミド繊維、例えばケブラー（登録商標），テクノーラ（登録商標）などを重ねて構成したものや、アラミド繊維をエポキシ樹脂やウレタン樹脂で硬化させた複合防護板などを使用して防護部を構成しても良い。
【００１１】
また、本発明において、保冷機能を発揮する保冷部材だけで防護部を構成することができる。この場合は、保冷部材の防護機能の分だけ、刃物などに対する防護力を向上させることができる。保冷部材としては、水を含んだ高吸水性繊維で構成されたものが例示できる。保冷部材のみで防護部を構成する場合は本発明に係る防護用エプロンは防護性の要素は低くなり、主に保冷用エプロンとして使用できるものとなる。
【００１２】
エプロンの前掛け部に設けられる袋部は、身体側（エプロンの裏面）に設けることが防護部を入れていることが客から分かりにくいので好ましいと言える。しかし、防護部が防護層だけでなく、冷却機能を備えた高吸水性繊維層を有する場合などは水分が蒸発しやすいように外側（エプロンの表面）に設けても良い。
前掛け部の接続部の位置は、装着時におおよそ腰位置や腹位置になる箇所に設けることが好ましい。
【００１３】
前記前掛け部の接続部と一対の接続紐部との係合は、後述する実施形態に示すようにＤカン、マジックテープ（登録商標）、雄雌嵌合着脱具などで構成することができる。マジックテープの場合は、例えば、一対の帯紐の先端部にフック面側テープを取り付け、前掛け部の両側の腰位置にループ面側テープを取り付けて、ループにフックが係合するように張り合わせることにより引っ張った状態を保持することができる。
後引き紐部は帯紐のみならず、断面が円形の紐でも採用できる。また、第１実施形態に示すように後引き紐部は複数本の帯紐で構成される場合や、第４実施形態に示すように先端側が二股状に分かれた帯紐などを使用することもできる。つまり、後引き紐部の具体的形状は特に限定されない。
【００１４】
また、環状帯部と後引き紐部の接続形態は、環状帯部に対して後引き紐部の基部が動けるように接続される形態が好ましい。なお、本明細書において、環状帯部と後引き紐部に言葉を分けて記載したのは両者の機能が分かりやすく説明するためで、環状帯部と後引き紐部の基端部が互いに縫い付けられた形態や、両者を一体化して一つの帯部として構成される場合も含むものである。
【００１５】
第２発明において、冷却機能を発揮する部材としては、高吸水性繊維に水を含ませたものが例示できる。高吸水性繊維としては、高吸水性ポリマーなどの高分子繊維材が例示できる。高吸水性ポリマーは赤ちゃんの紙おむつなどに使用されているものであり、繊維の重さの数百倍から千倍もの水を吸収することができる特長があり、大量の水を漏らすことなく保持できるので長い時間保冷機能を発揮できるものである。
【００１６】
第４発明において、後引き紐部によって背当て部を支持する構成の例として第２実施形態に示すように背当て部内を通す構成や、後引き紐部に背当て部を支持する枠体を取り付ける構成などが例示できる。
背当て部の機能としては、防護部としての機能や、保冷機能、遠赤外線放出機能などが例示できる。
【００１７】
なお、後述する第３実施形態に示す構成は、第９発明に記載した形態の一例であるが、第９発明はエプロンの前掛け部の全体にそのような高吸水性繊維層を設けることも可能である。
【発明の効果】
【００１８】
以下、各発明の効果などについて説明する。
第１発明であれば、身体にエプロンを装着したときに、環状帯部内に首を入れて後引き紐部によって引っ張った状態として環状帯部を肩及び背中に移動させ、接続紐部を前掛け部の接続部と係合させることにより、その引っ張った状態を保持するように構成したので、重量の大きい防護部を中に入れたエプロンであっても前掛け部の接続部に重量がかかるようにすることができるとともに、首筋に防護部の重量が集中してかかることを抑制して肩及び背中で分散させることができる。したがって、長時間装着しても疲れにくい防護用エプロンを提供できる。
第２発明であれば、防護機能と冷却機能を備えたエプロンとすることができ、暑い日など温度の高いところで作業を行うときでも、人が感じる体感的な暑さを低減できる。
【００１９】
第３発明であれば、後引き紐部を一対の帯紐で構成することができるので簡単かつ低コストで構成できる利点がある。
第４発明であれば、所定の機能を備えた背当て部を設けることにより、背当て部から背中に前記所定の機能を作用させることができる。
第５発明であれば、前記背当て部が後引き紐部と着脱自在になっているので、必要に応じて背当て部を付けた形態や外した形態を選択でき、使用の形態の自由度を高めることができる。
【００２０】
第６発明であれば、装着者の背中部分にも防護部を設けることができるので、身体の前面だけでなく後面も防護することができる。
第７発明であれば、上部が狭く下部が広い形状となった背当て部を有し、後引き紐部が背当て部内を上下動自在に移動できる状態で背当て部を後引き紐部によって支持しているので、装着者が体を左右に動かすような動きをするときに後引き紐部が背当て部に対して動きやすくなる利点がある。
【００２１】
第８発明であれば、防護部を入れない状態や、袋の中に他の部材を入れた形態でも使用でき、使用のバリエーションを増やすことができる。
第９発明であれば、暑い日など温度の高いところで作業を行うときでも、人が感じる体感的な暑さを低減できる冷却機能を備えた防護用エプロンを提供できる。
【発明を実施するための最良の形態】
【００２２】
以下、本発明の実施の形態を図面に基づき説明する。
図１は本発明の第１実施形態に係る防護用エプロンの正面図、図２はその背面図、図３は人が防護用エプロンを装着した状態を正面側から見た図、図４は人が防護用エプロンを装着した状態を背面側から見た図である。
この防護用エプロンは、身体の前側を覆う前掛け部１と、前掛け部１の上部に取り付けられた環状帯部２と、その環状帯部２に接続された後引き紐部３とを備えた構成となっている。
【００２３】
図１に示すように、前掛け部１の表面１ａ側は通常のエプロンと同じように見える素材で構成してあり、図２に示すように裏面１ｂ側に防護部４を入れる袋部５が形成してある。また、前掛け部１をかけたときに、おおよそ腰の位置に対応する左右位置に、前記接続部１７としての環状支持具７・７（Ｄカンなど）が設けられ、後述する帯紐６をその環状支持具７・７に通すように構成してある。
【００２４】
袋部５は、マジックテープによって開閉自在に構成されたメッシュ状の袋を前掛け部１の裏面１ｂに縫い付けることにより構成してあり、この袋部５内に防護部４を着脱自在に入れることにより、防護用エプロンとして使用できるように構成してある。
防護部４は、身体の少なくとも胸部域をカバーする大きさとなっており、前記した特開２００２−２０１５６６号に構成された防護構成材料を採用することが好ましいが、ケブラー（登録商標）、スペクトラ（登録商標）などの強度の高いアラミド繊維層で構成してもよい。
【００２５】
図５（Ａ）は袋部中の防護部を取り出した平面図、図５（Ｂ）はその縦断面図であり、防護部４は上記防護構成材料などを使用した防護層８を少なくとも含んで構成される。
図２に示すように環状帯部２は前掛け部１の上部位置に取り付けられ、図３、図４に示すように前掛け部１の上部域と環状帯部２が作る輪状の空間に首を入れて身体に装着するように構成してある。
後引き紐部３は、この実施形態では２本の帯紐６・６で構成されている。環状帯部２内に首を入れ、前記接続紐部１５に相当する２本の帯紐６・６の先端部を環状支持具７・７に通して、引っ張った状態として環状帯部２を肩及び背中に移動させて状態で、２本の帯紐６・６を結ぶことにより、エプロンを装着する。
【００２６】
（第２実施形態）
図６は本発明の第２実施形態に係る防護用エプロンの背面図、図７は人が防護用エプロンを装着した状態を背面側から見た図である。
この第２実施形態の特徴点は、前記第４発明に記載したように第１実施形態の構成に加えて、装着者の背中を覆う背当て部１０を設け、後引き紐部３によって背当て部１０を支持する構成とした点にある。第２実施形態に示す背当て部１０は、上部が狭く下部が広い台形状に構成され、後引き紐部３が背当て部１０内を上下動自在に移動できるように、背当て部１０の両横側部に挿通孔１１・１１を設けた構成としてある。
【００２７】
この背当て部１０は、装着者の背中側面が遠赤外線を放射する炭をコーティングした紙や炭素繊維などで構成された炭シート１２（紙、織物、不織布を含む）で構成されているので、重量のある防護部４を備えたエプロンを着ける人が肩がこりやすい人であっても、放射される遠赤外線によって血行を良くして肩こりを低減することができる。この炭シート１２は後述する機能層の一種である。
また、帯紐６・６から背当て部１０を取り外すことにより、背当て部１０を付けない状態で使用することもできるように構成してある。
【００２８】
次に、第１実施形態と第２実施形態における、環状帯部と後引き紐部の作用について説明する。
図８（Ａ）は第１実施形態に係るエプロンの重量のかかり方を説明するための図、図８（Ｂ）は第２実施形態に係るエプロンの重量のかかり方を説明するための図、図８（Ｃ）は従来の首紐による重量のかかり方を説明するための図である。なお、図８（Ｂ）においては背当て部１０は長方形状のものが示してある。
【００２９】
図８（Ａ）に示すように、前掛け部１の環状支持具７・７に接続された帯紐６・６によって環状帯部２が引っ張れた状態では、防護部（図示せず）の重量は環状支持具７・７にかかるとともに、環状帯部２は首元を移動して肩や背中位置まで移動した状態になる。したがって、防護部の重量が肩、背中全域に加重が分散される。これに対して、図８（Ｃ）に示す従来の構成であれば首掛け帯紐１３だけに防護部の重量がかかるので非常に疲れることになる。
【００３０】
一方、図８（Ｂ）に示すように２つの帯紐６・６を背当て部１０内を通す構成であれば、背当て部１０の下部位置に設けられた挿通孔１１・１１の出口までは、２つの帯紐６・６と環状帯部２の状態を一定状態に保つ機能があるので、帯紐６・６の捻れなどが起こりにくく、環状帯部２を良好に下方に引くことができるとともに装着感が良いという利点がある。
なお、背当て部１０に図２に示したような防護部４を入れる袋部５を設け、背中も弾丸又は刃物から保護するように構成することもできる。
【００３１】
（第３実施形態）
図９（Ａ）は本発明の第３実施形態に係る防護部の正面図、図９（Ｂ）はその縦断面図である。
この第３実施形態の特徴点は、防護層８に加えて各種の機能層１４を層状に積み重ねたり、混在させた構成とした点にある。
機能層１４としては、遠赤外線、マイナスイオン等の各種イオンを発生させる炭シートなどの健康に良いとされる機能シートや、前記第９発明のように高吸水性繊維を含んで構成され、気化熱による保冷作用を有するシートで構成しても良い。
【００３２】
保冷作用を有する防護部４を構成する場合は、必ずしも高吸水性繊維を使用しなければならないことはなく、防護層８の繊維に水を吸収させてもよい。この場合、エプロンの身体側に水分が染み込んでいかないように、前記袋部の少なくとも下部及び身体側を防水性袋（水が漏れない袋）に形成し、エプロンの前側から水分を蒸発させてエプロン内の温度を下げる構成も採用できる。
【００３３】
なお、防護部４を入れる袋部を、袋部の前面側では水蒸気は通過できるが水は通過できない素材で構成すれば好都合である。そのような素材としてはゴアテックス（登録商標）などが例示できる。また、簡単な構成としては、エプロンの前面１ａ側の生地をそのような素材で構成し、防護部を入れる袋部を縫いつけても良い。
上記のような高吸水性繊維層と袋部は背当て部にも設けることができる。この構成であれば、装着者に背当て部側からも冷感を与えることができる。
【００３４】
（第４実施形態）
図１０は本発明の第４実施形態に係る構成を説明するための図である。
この実施形態では、環状帯部２と後引き紐部３は縫い付けられて一体化されている。後引き紐部３の先端側は二股形に分かれた形状になっており、その先端部がそれぞれ接続紐部１５・１５である帯紐１６・１６になっている。
なお、後引き紐部３の背中位置には背当て部を支持できる枠体（図示せず）を取り付けることもできる。
【図面の簡単な説明】
【００３５】
【図１】図１は本発明の第１実施形態に係る防護用エプロンの正面図である。
【図２】図２は第１実施形態に係る防護用エプロンの背面図である。
【図３】図３は人が防護用エプロンを装着した状態を正面側から見た図である。
【図４】図４は人が防護用エプロンを装着した状態を背面側から見た図である。
【図５】図５（Ａ）は袋部中の防護部を取り出した平面図、図５（Ｂ）はその縦断面図である。
【図６】図６は本発明の第２実施形態に係る防護用エプロンの背面図である。
【図７】図７は本発明の第２実施形態において、人が防護用エプロンを装着した状態を背面側から見た図である。
【図８】図８（Ａ）は第１実施形態に係るエプロンの重量のかかり方を説明するための図、図８（Ｂ）は第２実施形態に係るエプロンの重量のかかり方を説明するための図、図８（Ｃ）は従来の首紐による重量のかかり方を説明するための図である。
【図９】図９（Ａ）は本発明の第３実施形態に係る防護部の正面図、図９（Ｂ）はその縦断面図である。
【図１０】図１０は本発明の第４実施形態を説明するための図であり、環状帯部と後引き紐部の変形例を採用したものである。
【符号の説明】
【００３６】
１…前掛け部、２…環状帯部、３…後引き紐部、４…防護部、５…袋部、６…帯紐、７…環状支持具（Ｄカンなど）、１０…背当て部、１５…接続紐部、１７…接続部。
【図１】
2005113346.tif 000003
【図２】
2005113346.tif 000004
【図３】
2005113346.tif 000005
【図４】
2005113346.tif 000006
【図５】
2005113346.tif 000007
【図６】
2005113346.tif 000008
【図７】
2005113346.tif 000009
【図８】
2005113346.tif 000010
【図９】
2005113346.tif 000011
【図１０】
2005113346.tif 000012